(57)【特許請求の範囲】
【請求項１】
表面側に位置する表面シート、裏面側に位置する裏面シート、およびこれら表面シートと裏面シートとの間に配設された第１吸収体を有する吸収性物品本体と、
この吸収性物品本体の幅方向の両側部に配設され、長手方向に沿って伸縮可能なバリアフラップと、
前記吸収性物品本体と前記バリアフラップとにて前記吸収性物品本体の幅方向の両側部に形成されたポケット部と、
このポケット部内に設けられ、前記バリアフラップ側に位置する上面シート、前記第１吸収体側に位置する下面シート、およびこれら上面シートと下面シートとの間に位置する第２吸収体を有する両側吸収部とを具備し、
長手方向に沿って前側部、中央部および後側部が順次形成された使い捨て吸収性物品であって、
少なくとも前記中央部では、前記両側吸収部と前記吸収性物品本体とが接合されておらず、かつ、前記両側吸収部と前記バリアフラップとが長手方向に沿って間欠的に設けられた間欠接合部にて接合された
ことを特徴とする使い捨て吸収性物品。
【請求項２】
間欠接合部は、両側吸収部の幅方向の内側に設けられ、
間欠的に設けられた前記各間欠接合部間には非接合部が形成された
ことを特徴とする請求項１記載の使い捨て吸収性物品。
【請求項３】
間欠接合部は、両側吸収部の幅方向の外側に設けられ、
間欠的に設けられた前記各間欠接合部間には非接合部が形成された
ことを特徴とする請求項１記載の使い捨て吸収性物品。
【請求項４】
バリアフラップは、幅方向の内側縁部が両側吸収部の幅方向の内側縁部より内側に位置する
ことを特徴とする請求項１ないし３のいずれか記載の使い捨て吸収性物品。
【請求項５】
吸収性物品本体は、第１吸収体が配設された吸収本体部と、この吸収本体部の幅方向の両側部から延出したサイドフラップとを有し、
バリアフラップは、一方の側部が前記サイドフラップに接合される第１バリアシートと、この第１バリアシートの他方の側部にバリアフラップ接合部にて接合される第２バリアシートと、この第２バリアシートの幅方向に複数配設されたバリアフラップ弾性体とを有し、
前記第２バリアシートは、前記バリアフラップ接合部の幅方向の両側縁部より延出した延出部を有し、少なくともこの延出部にバリアフラップ弾性体が配設された
ことを特徴とする請求項１ないし４のいずれか記載の使い捨て吸収性物品。
【発明の詳細な説明】
【技術分野】
【０００１】
本発明は、子供用、大人用或いは失禁用の使い捨て吸収性物品に関する。
【背景技術】
【０００２】
従来、この種の使い捨ておむつ等の使い捨て吸収性物品としては、表面シートと裏面シートとの間に吸収体が配設された吸収性物品本体を備えた構成が一般的である。このような構成のものでは、尿などの液状の排泄物は、表面シートを透過して吸収体にて吸収できるものの、軟便などのように粘性のある液状の排泄物は、表面シートを透過しにくいので吸収体にて吸収できず、吸収性物品本体内にて拡がってしまい、外部へ漏出してしまうおそれがあった。
【０００３】
そこで、軟便などの粘性のある液状の排泄物の外部への漏出を防止するものとして、吸収性物品本体が、長手方向の中央部および幅方向の中央部に表面シートと吸収体とが接合されていない部分を有し、表面シートが、この表面シートと吸収体とが接合されていない部分に連通する切込部と、収縮によりこの切込部を開口する弾性体とを有する構成のものが知られている（例えば、特許文献１参照。）。
【０００４】
また、尿などの横漏れを防止するものとして、吸収体を有する吸収層と、液不透過性の防漏層とを具備し、吸収層が、防漏層に固定されてなる固定部と、この固定部の長手方向左右両側に位置し自由端を有する左右一対の自由縁部とを有し、固定部および自由縁部のいずれにも吸収体が設けられた構成のものが知られている（例えば、特許文献２参照。）。
【先行技術文献】
【特許文献】
【０００５】
【特許文献１】特開２００９−２９１４５５号公報（第３−７頁、図１，図２）
【特許文献２】特許第２８９９２７３号公報（第２−３、図１，図２）
【発明の概要】
【発明が解決しようとする課題】
【０００６】
しかしながら、上述の特許文献１の構成では、排泄物が流入するための表面シートの切欠部、および表面シートと吸収体とが接合されておらず排泄物を収容可能な空間が吸収性物品本体の幅方向の中央部に位置しているため、装着者の体圧で空間が潰れやすく、この空間が潰れると排泄物を保持しにくいので、排泄物が漏出してしまう可能性がある。また、切欠部が開口するよう弾性体が設けられているものの、表面シートと吸収体とが接合されていない部分の空間を維持するための部材などが設けられていないため、排泄物を収容する空間が潰れやすく、この空間が潰れると、排泄物を保持しにくいので、排泄物が漏出してしまう可能性が考えられる。
【０００７】
また、特許文献２の構成では、吸収層の固定部および自由縁部に吸収体が設けられているものの、軟便などの粘性のある液状の排泄物は、吸収体では吸収しにくく吸収層上に残留してしまい、残留した排泄物が漏出してしまう問題が考えられる。
【０００８】
本発明はこのような点に鑑みなされたもので、粘性のある液状の排泄物を保持しやすく、排泄物の漏出を防止できる使い捨て吸収性物品を提供することを目的とする。
【課題を解決するための手段】
【０００９】
請求項１に記載された使い捨て吸収性物品は、表面側に位置する表面シート、裏面側に位置する裏面シート、およびこれら表面シートと裏面シートとの間に配設された第１吸収体を有する吸収性物品本体と、この吸収性物品本体の幅方向の両側部に配設され、長手方向に沿って伸縮可能なバリアフラップと、前記吸収性物品本体と前記バリアフラップとにて前記吸収性物品本体の幅方向の両側部に形成されたポケット部と、このポケット部内に設けられ、前記バリアフラップ側に位置する上面シート、前記第１吸収体側に位置する下面シート、およびこれら上面シートと下面シートとの間に位置する第２吸収体を有する両側吸収部とを具備し、長手方向に沿って前側部、中央部および後側部が順次形成された使い捨て吸収性物品であって、少なくとも前記中央部では、前記両側吸収部と前記吸収性物品本体とが接合されておらず、かつ、前記両側吸収部と前記バリアフラップとが長手方向に沿って間欠的に設けられた間欠接合部にて接合されたものである。
【００１０】
請求項２に記載された使い捨て吸収性物品は、請求項１に記載された使い捨て吸収性物品において、間欠接合部は、両側吸収部の幅方向の内側に設けられ、間欠的に設けられた前記各間欠接合部間には非接合部が形成されたものである。
【００１１】
請求項３に記載された使い捨て吸収性物品は、請求項１に記載された使い捨て吸収性物品において、間欠接合部は、両側吸収部の幅方向の外側に設けられ、間欠的に設けられた前記各間欠接合部間には非接合部が形成されたものである。
【００１２】
請求項４に記載された使い捨て吸収性物品は、請求項１ないし３のいずれかに記載された使い捨て吸収性物品において、バリアフラップは、幅方向の内側縁部が両側吸収部の幅方向の内側縁部より内側に位置するものである。
【００１３】
請求項５に記載された使い捨て吸収性物品は、請求項１ないし４のいずれかに記載された使い捨て吸収性物品において、吸収性物品本体は、第１吸収体が配設された吸収本体部と、この吸収本体部の幅方向の両側部から延出したサイドフラップとを有し、バリアフラップは、一方の側部が前記サイドフラップに接合される第１バリアシートと、この第１バリアシートの他方の側部にバリアフラップ接合部にて接合される第２バリアシートと、この第２バリアシートの幅方向に複数配設されたバリアフラップ弾性体とを有し、前記第２バリアシートは、前記バリアフラップ接合部の幅方向の両側縁部より延出した延出部を有し、少なくともこの延出部にバリアフラップ弾性体が配設されたものである。
【発明の効果】
【００１４】
請求項１に記載された発明によれば、吸収性物品本体の幅方向の両側部にポケット部を具備し、このポケット部内に両側吸収部が設けられていることにより、ポケット部の空間が潰れにくいので、ポケット部にて、粘性のある液状の排泄物を保持しやすく、排泄物の漏出を防止できる。
【００１５】
また、少なくとも中央部では、両側吸収部と吸収性物品本体とが接合されておらず、かつ、両側吸収部とバリアフラップとが間欠接合部にて間欠的に接合されていることにより、間欠接合部が設けられた部分では両側吸収部の下側がポケット部に連通し、間欠接合部が設けられていない部分では、両側吸収部の上側および下側の両方がポケット部に連通して、排泄物がポケット部に流入しやすいので、ポケット部にて、粘性のある液状の排泄物を保持しやすく、排泄物の漏出を防止できる。
【００１６】
請求項２に記載された発明によれば、間欠接合部が両側吸収部の幅方向の内側に設けられたことにより、両側吸収部の幅方向の内側縁部がバリアフラップとともに起立しやすいので、ポケット部の空間およびポケット部へ連通する空間を形成しやすく、ポケット部へ排泄物を流入しやすくできる。
【００１７】
請求項３に記載された発明によれば、間欠接合部が両側吸収部の幅方向の外側に設けられたことにより、バリアフラップの幅方向の内側が起立しやすく、両側吸収部の幅方向の外側がバリアフラップとともに起立しやすいので、両側吸収部の上側および下側に空間ができやすく、ポケット部へ排泄物を流入しやすくできる。
【００１８】
請求項４に記載された発明によれば、バリアフラップの幅方向の内側縁部が両側吸収部の幅方向の内側縁部より内側に位置することにより、装着した際に、バリアフラップにて両側吸収部が覆われるので、排泄物がバリアフラップを越えて漏出することを防止できる。
【００１９】
請求項５に記載された発明によれば、バリアフラップが第１バリアシートと第２バリアシートとバリアフラップ弾性体とを有することにより、第２バリアシートが平面状に装着者の肌に接触するので、バリアフラップを超えて排泄物が漏出することを防止できる。
【図面の簡単な説明】
【００２０】
【図１】本発明の第１の実施の形態に係る展開状態の使い捨て吸収性物品の構成を示す平面図である。
【図２】同上図１のＡ−Ａ断面図である。
【図３】同上図１のＢ−Ｂ断面図である。
【図４】同上使い捨て吸収性物品の収縮状態における図１のＡ−Ａ断面に対応する部分を示す断面図である。
【図５】同上使い捨て吸収性物品の収縮状態における図１のＣ−Ｃ断面に対応する部分を示す断面図である。
【図６】本発明の第２の実施の形態に係る使い捨て吸収性物品の構成を示す断面図である。
【図７】同上使い捨て吸収性物品の構成を示す断面図である。
【図８】本発明の第３の実施の形態に係る展開状態の使い捨て吸収性物品の構成を示す平面図である。
【図９】同上使い捨て吸収性物品の構成を示す断面図である。
【図１０】本願の第４の実施の形態に係る構成を示す断面図である。
【発明を実施するための形態】
【００２１】
以下、本発明の第１の実施の形態の構成について図１ないし図５を参照しながら詳細に説明する。
【００２２】
図１において、１は展開状態の使い捨て吸収性物品であり、この使い捨て吸収性物品１は、略矩形状の吸収性物品本体２を備えている。また、図１ないし図３に示すように、使い捨て吸収性物品１は、吸収性物品本体２の幅方向の両側部に配設され、長手方向に沿って伸縮可能なバリアフラップ３を備えている。さらに、使い捨て吸収性物品１は、吸収性物品本体２とバリアフラップ３とにて、吸収性物品本体２の幅方向の両側部に形成されたポケット部４、および、このポケット部４内に位置する両側吸収部５を備えている。そして、使い捨て吸収性物品１は、装着した際に装着者の腹側に位置する前側部６、装着状態で装着者の股下に位置する中央部７、および装着状態で装着者の背側に位置する後側部８が長手方向に沿って順次形成されている。
【００２３】
吸収性物品本体２は、使い捨て吸収性物品１の装着した際に装着者側である表面側に位置する表面シート11と、装着した際に装着者とは反対側の衣類側である裏面側に位置する裏面シート12と、これら表面シート11と裏面シート12との間に位置する第１吸収体13とを有している。
【００２４】
表面シート11は、例えば尿などの排泄液を透過可能な略矩形状の液透過性シートである、また、裏面シート12は、排泄液が透過しない液不透過性の疎水性シートである。これら表面シート11および裏面シート12は、例えば織布、不織布、フィルム、合成樹脂およびそれらを組み合わせたシート材などにて適宜形成される。
【００２５】
また、表面シート11と裏面シート12とは、第１吸収体13を挟むように周縁部が例えばホットメルト接着剤、熱シールおよび超音波接着などにて接合されて第１吸収体13が封着されている。したがって、装着者の排泄液が表面シート11を透過して第１吸収体13に吸収され、裏面シート12にて第１吸収体13から吸収性物品本体２の裏面側への排泄液の漏出を防止している。
【００２６】
第１吸収体13は、例えばパルプなどの吸収性繊維および高分子吸収材などの排泄液を十分に吸収できる素材にて形成されている。また、第１吸収体13の保形または吸収拡散などのためにティッシュなどのクレープ紙でパルプを挟んだ構成にしてもよい。
【００２７】
また、第１吸収体13は、中央部７における幅方向の長さが、前側部６および後側部８における幅方向の長さより短く形成され、中央部７において幅方向に弧状に切り欠かれた略砂時計形状である。
【００２８】
吸収性物品本体２は、表面シート11および裏面シート12の長手方向の長さが第１吸収体13の長手方向の長さより長く、第１吸収体13の長手方向の端縁より表面シート11および裏面シート12が延出しており、この延出した部分にて前側部６および後側部８にエンドフラップ14が形成されている。また、後側部８のエンドフラップ14は、表面シート11と裏面シート12との間に吸収性物品本体２の幅方向に沿ってエンドフラップ弾性体15が伸張した状態で配設され、幅方向に伸縮可能である。
【００２９】
また、吸収性物品本体２は、表面シート11および裏面シート12の幅方向の長さが第１吸収体13の幅方向の長さより長く、第１吸収体13の幅方向の端縁から表面シート11および裏面シート12が延出しており、第１吸収体13が配置された部分である吸収本体部17と、表面シート11および裏面シート12が延出した部分であるサイドフラップ18とを有している。
【００３０】
サイドフラップ18は、中央部７において、第１吸収体13の弧状に切り欠かれた部分に対応する位置の表面シート11と裏面シート12との間に、吸収性物品本体２の長手方向に沿ってサイドフラップ弾性体19が伸張した状態で配設され、長手方向に沿って伸縮可能である。
【００３１】
また、サイドフラップ18は、前側部６および後側部８の第１吸収体13の幅方向の両側縁に沿うように表面シート11および裏面シート12が表面シート11側へ第１吸収体13から立ち上がるように折り曲げられた起立部18aと、この起立部18aの先端から表面シート11および裏面シート12が吸収性物品本体２の幅方向の内側へ折り返された折返部18bとを有している。
【００３２】
バリアフラップ３は、吸収性物品本体２のサイドフラップ18の先端すなわち折返部18bの先端に接合され、吸収性物品本体２の幅方向の両側部において、吸収性物品本体２の長手方向の全域にわたって配設されている。
【００３３】
また、バリアフラップ３は、折返部18bの先端にて表面シート11および裏面シート12に接合されるバリアシート21と、このバリアシート21の長手方向に沿って配設されるバリアフラップ弾性体22とを有し、長手方向に沿って伸縮可能である。
【００３４】
バリアシート21は、幅方向の一方の側部が折返部18bの先端に接合される液不透過性の矩形状の第１バリアシート23と、この第１バリアシート23の幅方向の他方の側部に接合される液不透過性の矩形状の第２バリアシート24とを有しており、この第２バリアシート24に複数のバリアフラップ弾性体22が伸張した状態で配設されている。また、第１バリアシート23と第２バリアシート24とはバリアフラップ接合部25にて接合される。
【００３５】
第２バリアシート24は、バリアフラップ弾性体22を挟むように、１枚のシート体が折り返されて形成されており、バリアフラップ接合部25の幅方向の両側縁より延出した延出部27を有している。
【００３６】
延出部27は、バリアフラップ接合部25より使い捨て吸収性物品１における外側に位置する外側延出部28と、バリアフラップ接合部25より使い捨て吸収性物品１における内側に位置する内側延出部29とを有している。また、延出部27は、外側延出部28の幅方向の長さが内側延出部29の幅方向の長さより長くなるように形成されている。
【００３７】
外側延出部28に配設されたバリアフラップ弾性体22の数は、内側延出部29に配設されたバリアフラップ弾性体22の数より多く、例えば、外側延出部28に２本のバリアフラップ弾性体22が配設され、内側延出部に１本のバリアフラップ弾性体22が配設されている。
【００３８】
ポケット部４は、吸収性物品本体２の幅方向の両側部にて、吸収性物品本体２とバリアフラップ３とにて、使い捨て吸収性物品１の長手方向に沿って形成されている。具体的には、吸収本体部17の幅方向の両側部と、起立部18aと、折返部18bと、第１バリアシート23と、第２バリアシート24とによって囲まれて形成された空間である。
【００３９】
両側吸収部５は、ポケット部４内に位置し、使い捨て吸収性物品１の長手方向に沿って設けられている。
【００４０】
また、両側吸収部５は、略矩形状の液透過性シートにて形成されバリアフラップ３側に位置する上面シート31と、略矩形状の液透過性シートにて形成され第１吸収体13側に位置する下面シート32と、上面シート31と下面シート32との間に位置し、パルプなどの吸収性繊維および高分子吸収材などにて形成された第２吸収体33とを有している。また、両側吸収部５は、第２吸収体33に並列するように、使い捨て吸収性物品１における幅方向の内側である第２吸収体33の内側縁より内側の、上面シート31と下面シート32との間に両側吸収部弾性体34が伸張した状態で配設されている。
【００４１】
このような両側吸収部５は、両側吸収部５の使い捨て吸収性物品１における幅方向の内側縁部である上面シート31および下面シート32の内側縁部が、バリアフラップ３の使い捨て吸収性物品１における幅方向の内側縁部である内側延出部29の内側縁部より、使い捨て吸収性物品１における幅方向の外側に位置している。
【００４２】
第２吸収体33は、長手方向の長さが第１吸収体13の長手方向の長さより短く、第１吸収体13の長手方向の両端部より内側に位置している。
【００４３】
また、第２吸収体33は、バリアフラップ弾性体22および両側吸収部弾性体34の収縮にて吸収本体部17から離間する構成であり、第２吸収体33が離間しやすいように、第２吸収体33の重量は、第１吸収体13と比較して軽い方が好ましい。また、吸収性物品本体２とバリアフラップ３にて形成されるポケット部４の立体形状を維持するためには、ある程度剛性を有する方が好ましい。具体的には、第１吸収体13と第２吸収体33とをパルプなどの同一の素材で形成する場合、第２吸収体33は、第１吸収体13より密度が高く厚さが薄く形成されると好ましい。
【００４４】
ここで、図２に示すように、中央部７において、両側吸収部５と吸収性物品本体２とは接合されておらず、両側吸収部５とバリアフラップ３とは、使い捨て吸収性物品１の長手方向に沿って間欠的に設けられた間欠接合部41にて接合されている。具体的には、両側吸収部５の上面シート31とバリアフラップの第１バリアシート23とが、間欠接合部41にて接合されている。また、各間欠接合部41間には、バリアフラップ３と両側吸収部５とが接合されていない非接合部42が設けられている。
【００４５】
間欠接合部41は、両側吸収部５の使い捨て吸収性物品１における幅方向の内側の部分に位置し、バリアフラップ３および両側吸収部５の長手方向に沿って複数例えば３つ設けられている。
【００４６】
また、間欠接合部41は、バリアフラップ３と両側吸収部５とが、ホットメルト接着剤、熱シールおよび超音波接着などにて適宜接合されて形成される。
【００４７】
さらに、間欠接合部41は、図１に示すように、両側吸収部５およびバリアフラップ３における長手方向の長さａより、各間欠接合部41間の長さすなわち非接合部42の長さｂの方が長くなっている。
【００４８】
また、間欠接合部41は、両側吸収部５およびバリアフラップ３における幅方向の長さが長手方向の長さより短く形成された略矩形状である。
【００４９】
さらに、間欠接合部41は、バリアフラップ接合部25より使い捨て吸収性物品１における幅方向の外側に位置している。
【００５０】
図３に示すように、前側部６および後側部８では、両側吸収部５と吸収本体部17とが下面接合部45にて接合されている。下面接合部45では、下面シート32の幅方向の略全域と表面シート11とが、例えばホットメルト接着剤、熱シールおよび超音波接着などにて接合されている。
【００５１】
また、前側部６および後側部８では、バリアフラップ３と両側吸収部５とが上面接合部46にて接合されている。上面接合部46では、幅方向に離間した上面内側接合部47および上面外側接合部48にて、上面シート31と第１バリアシート23とが例えばホットメルト接着剤、熱シールおよび超音波接着などにて接合されている。
【００５２】
ここで、図４および図５に示すように、使い捨て吸収性物品１は、サイドフラップ弾性体19、バリアフラップ弾性体22および両側吸収部弾性体34が収縮し、バリアフラップ３および両側吸収部５の内側縁部である自由端部側が吸収本体部17から離間して、バリアフラップ３および両側吸収部５が起立した収縮状態にて装着される。
【００５３】
そして、中央部７に間欠接合部41および非接合部42が設けられることにより、収縮状態において、図４に示す間欠接合部41が設けられた部分では、両側吸収部５と吸収本体部17とが離間し、両側吸収部５の下側にてポケット部４に連通する空間である下側ポケット連通51が形成される。また、図５に示す非接合部42が設けられた部分では、両側吸収部５と吸収本体部17とが離間し、かつ、バリアフラップ３と両側吸収部５が離間して、両側吸収部５の下側にてポケット部４に連通する空間である下側ポケット連通51、および、両側吸収部５の上側にてポケット部４に連通する空間である上側ポケット連通部52が形成される。
【００５４】
次に、上記第１の実施の形態の作用および効果を説明する。
【００５５】
使い捨て吸収性物品１は、前側部６が装着者の腹部に対応し、中央部７が装着者の股下部に対応し、後側部８が装着者の背部に対応するように、収縮状態にて例えばおむつなどのパンツ型吸収性物品の内側面に配設されて、パンツ型吸収性物品とともに装着される。
【００５６】
使い捨て吸収性物品１の収縮状態では、バリアフラップ弾性体22の収縮により、バリアフラップ３の自由端側が吸収本体部17から離間してバリアフラップ３が起立する。
【００５７】
また、バリアフラップ３の起立により両側吸収部５も起立する。すなわち、中央部７では、両側吸収部５が長手方向に沿って間欠的に設けられた間欠接合部41にて接合されているので、図４に示すように、両側吸収部５の間欠接合部41が設けられた部分では、バリアフラップ３にて起立方向に引っ張られるとともに、図５に示すように、非接合部42では、両側吸収部弾性体34の収縮により、両側吸収部５がバリアフラップ３側に引っ張られて両側吸収部５の自由端側が吸収本体部17から離間し、両側吸収部５がバリアフラップ３とともに起立する。
【００５８】
バリアフラップ３および両側吸収部５が起立すると、図４に示すように、間欠接合部41に対応する部分では、吸収本体部17と両側吸収部５との間に下側ポケット連通51が形成される。また、図５に示すように、非接合部42に対応する部分では、吸収本体部17と両側吸収部５との間に下側ポケット連通51が形成され、かつ、バリアフラップ３と両側吸収部５との間に上側ポケット連通部52が形成される。
【００５９】
なお、例えば、両側吸収部５とバリアフラップ３とが長手方向に沿って連続的に接合されていると、バリアフラップ３が両側吸収部５の影響により起立しにくくなってしまう。
【００６０】
このようにバリアフラップ３および両側吸収部５が起立した状態の使い捨て吸収性物品１を装着すると、第２バリアシート24が装着者の腹部、股下部および背部に密着し、両側のバリアフラップ３間に装着者の排泄部が位置する。また、第１吸収体13の弧状に切り欠かれた部分に対応するサイドフラップ弾性体19が配設された部分が、装着者の脚周りに密着する。
【００６１】
使い捨て吸収性物品１を装着した状態では、装着者の排泄物は、両側のバリアフラップ３間から吸収性物品本体２内に流入し、吸収本体部17に接触する。
【００６２】
尿などの液状の排泄液は、吸収本体部17に接触すると表面シート11を透過して第１吸収体13にて吸収される。一方、軟便などの粘性のある液状の排泄物は、吸収本体部17に接触すると、表面シート11を透過しにくく、表面シート11上に残留する。
【００６３】
表面シート11を透過しなかった排泄物は、吸収本体部17上を移動して幅方向に拡がり、下側ポケット連通51を通ってポケット部４へ流入し、ポケット部４内に保持される。
【００６４】
また、表面シート11を透過しない排泄物が両側吸収部５を越えた場合には、排泄物は上側ポケット連通部52を通ってポケット部４へ流入し、ポケット部４内にて保持される。
【００６５】
さらに、排泄物が装着者の肌を伝わって拡がる場合には、排泄物はそのまま上側ポケット連通部52を通り、液体成分が上面シート31を透過して第２吸収体33にて吸収されながら、上面シート31を透過しなかった排泄物がポケット部４へ流入し、ポケット部４内にて保持される。
【００６６】
そして、使い捨て吸収性物品１によれば、吸収性物品本体２の幅方向の両側部にポケット部４を具備することにより、表面シート11を透過しにくい粘性のある液状の排泄物であっても、ポケット部４にて保持できる。また、ポケット部４内に両側吸収部５が設けられていることにより、吸収本体部17とバリアフラップ３との距離を保持しやすく、ポケット部４の空間が潰れにくい。したがって、ポケット部にて粘性のある液状の排泄物を保持しやすく、排泄物の漏出を防止できる。
【００６７】
また、中央部７では、吸収性物品本体２と両側吸収部５とが接合されておらず、かつ、バリアフラップ３と両側吸収部５とが間欠接合部41にて間欠的に接合されていることにより、中央部７における間欠接合部41が設けられた部分では、下側ポケット連通51が形成され、中央部７における間欠接合部41が設けられていない非接合部42に対応する部分では、下側ポケット連通51および上側ポケット連通部52が形成される。したがって、両側吸収部５の上側からも下側から排泄物が流入可能であり、排泄物がポケット部４に流入しやすいので、ポケット部４にて粘性のある液状の排泄物を保持しやすく、排泄物の漏出を防止できる。
【００６８】
また、使い捨て吸収性物品１は、ポケット部４内に両側吸収部５が設けられ、両側吸収部５が第２吸収体33を有することにより、排泄物が下側ポケット連通51および上側ポケット連通部52を通る際に、排泄物の液体成分を吸収できるので、吸収力を向上でき排泄物の漏出を防止できる。
【００６９】
両側吸収部５は、両側吸収部弾性体34が設けられたことにより、バリアフラップ３と両側吸収部５とが間欠接合部41にて接合されただけであっても、両側吸収部弾性体34の収縮により非接合部42でも両側吸収部５がバリアフラップ３とともに起立しやすくなるので、非接合部42における下側ポケット連通51および上側ポケット連通部52の空間を確保できる。
【００７０】
間欠接合部41は、両側吸収部５の幅方向の内側に設けられたことにより、間欠接合部41が設けられた部分では、両側吸収部５の幅方向の内側縁部がバリアフラップ３とともに吸収本体部17から離間して起立し、この起立にともなって非接合部42に対応する部分も起立するので、間欠接合部41が両側吸収部５の幅方向の外側および中央に設けられた場合と比較すると、両側吸収部５の内側縁部全体が起立しやすい。したがって、下側ポケット連通51の空間を確保しやすく、ポケット部４へ排泄物を流入にしやすくできる。
【００７１】
また、間欠接合部41と上面接合部46とは、いずれもバリアフラップ３と両側吸収部５との間に位置している。したがって、間欠接合部41を接合する際に、中央部７だけでなく前側部６および後側部８まで延出し、前側部６および後側部８では長手方向に連続して接合すると、上面接合部46の上面内側接合部47が形成できるので、間欠接合部41および上面内側接合部47を一連の接合作業で接合でき、接合作業を簡略化できる。
【００７２】
間欠接合部41は、長手方向の長さａが非接合部42の長さｂより短く形成されたことにより、非接合部42において、上側ポケット連通部52の空間を形成しやすくできる。
【００７３】
また、間欠接合部41は、幅方向の長さが長手方向の長さより短く形成されたことにより、幅方向に長く形成された場合に比べて、バリアフラップ３の起立性を向上できる。
【００７４】
バリアフラップ３は、第１バリアシート23と第２バリアシート24とバリアフラップ弾性体22とを有することにより、収縮状態にて、第１バリアシート23と第２バリアシート24とが別々に収縮し、装着者の肌に接触する第２バリアシート24を平面状に維持しやすい。したがって、第２バリアシート24が平面状に装着者の肌に接触しやすいので、バリアフラップ３が装着者の肌に密着しやすく、バリアフラップ３を越えて排泄物が漏出することを防止できる。
【００７５】
また、バリアフラップ３は、中央部７において第１バリアシート23のみが間欠接合部41にて両側吸収部５に接合されることにより、第２バリアシート24も両側吸収部５に接合される場合に比べてバリアフラップ３の起立性を向上できる。
【００７６】
さらに、バリアフラップ３は、内側延出部29の内側縁部が、両側吸収部５の内側縁部より内側に位置することにより、使い捨て吸収性物品１を装着した際に、装着者側から見て、両側吸収部５がバリアフラップ３にて覆われるので、両側吸収部５がバリアフラップ３より内側へ延出することを防止でき、バリアフラップ３が装着者の肌に接触して、排泄物がバリアフラップ３を超えて漏出することを防止できる。なお、使い捨て吸収性物品１の展開状態で、内側延出部29の内側縁部が両側吸収部５の内側縁部より内側に位置するように形成することにより、バリアフラップ３と両側吸収部５とは間欠接合部41および上面接合部46にて接合されているので、収縮状態にしても両側吸収部５がバリアフラップ３より内側へ延出することはない。
【００７７】
また、バリアフラップ３は、外側延出部28および内側延出部29を有し、外側延出部28の幅方向の長さが内側延出部29の幅方向の長さより長く、また、外側延出部28は内側延出部29よりバリアフラップ弾性体22が多く配設されることにより、収縮状態にて第２バリアシート24を平面状に保持しやすい。
【００７８】
バリアフラップ接合部25および間欠接合部41は、間欠接合部41がバリアフラップ接合部25より使い捨て吸収性物品１における幅方向の外側に位置することにより、間欠接合部41がバリアフラップ接合部25の同一直線上に位置する場合や、間欠接合部41がバリアフラップ接合部25より幅方向の内側に位置する場合に比べて、バリアフラップ３の起立性を向上できる。
【００７９】
なお、上記第１の実施の形態では、吸収性物品本体２は、吸収本体部17とサイドフラップ18とを有する構成としたが、このような構成に限定されず、例えばサイドフラップ18が設けられていない構成にしてもよい。この場合は、バリアフラップ３が吸収本体部17の幅方向の両側に接合される。
【００８０】
また、吸収性物品本体２は、エンドフラップ14が設けられた構成としたが、このような構成には限定されず、エンドフラップ14が設けられていない構成にしてもよい。
【００８１】
第１吸収体13は、中央部７における幅方向の長さが、前側部６および後側部８における幅方向の長さより短い略砂時計状の構成に限定されず、例えば、前側部６から後側部８にわたって幅方向の長さが同一の矩形状の構成などにしてもよい。
【００８２】
サイドフラップ18は、サイドフラップ弾性体19が設けられた構成にしたが、このような構成には限定されず、サイドフラップ弾性体19が設けられていない構成にしてもよい。
【００８３】
また、サイドフラップ18は、起立部18aと折返部18bとを有する構成にしたが、このような構成に限定されず、例えば、折返部18bがなく、起立部18aがそのまま外側へ延出した構成にしてもよい。
【００８４】
バリアフラップ３は、サイドフラップ18の折返部18bの先端に接合された構成にしたが、このような構成に限定されず、例えば、バリアフラップ３が起立部18aの一部および折返部18bにわたって接合された構成や、バリアフラップ３とサイドフラップ18とが一体の構成などにしてもよい。また、バリアフラップ３がサイドフラップ18の先端に接合される構成の場合は、バリアフラップ３がサイドフラップ18における表面シート11および裏面シート12の両方に接合された構成には限定されず、表面シート11および裏面シート12のいずれか一方に接合された構成であればよい。
【００８５】
バリアフラップ３は、バリアシート21が第１バリアシート23および第２バリアシート24にて形成された構成には限定されず、例えば、バリアシート21が１枚のシート体にて形成された構成にしてもよい。また、バリアシート21が第１バリアシート23および第２バリアシート24にて形成される構成にする場合は、延出部27が設けられた構成には限定されず、延出部27が設けられていない構成にしてもよい。さらに、延出部27が設けられた構成にする場合は、第２バリアシート24の外側延出部28の幅方向の長さが、内側延出部29の幅方向の長さより長くなる構成に限定されず、例えば、外側延出部28および内側延出部29の幅方向の長さが同一の構成にしてもよい。また、第２バリアシート24は１枚のシート体を折り返して形成された構成には限定されず、１枚のシート体がそのまま用いられた構成にしてもよい。
【００８６】
また、バリアフラップ３は、複数のバリアフラップ弾性体22が配設された構成には限定されず、例えば、バリアフラップ弾性体22が配設されていない構成や、１つのバリアフラップ弾性体22が配設された構成などにしてもよい。また、バリアフラップ弾性体22が複数配設される場合は、外側延出部28に内側延出部29より多くのバリアフラップ弾性体22が配設された構成には限定されない。
【００８７】
両側吸収部５は、幅方向の内側縁部がバリアフラップ３の幅方向の両側縁部より幅方向の外側に位置している構成にしたが、このような構成には限定されず、例えば両側吸収部５の内側縁部がバリアフラップ３の内側縁部と同一直線上に位置する構成や、両側吸収部５の内側縁部がバリアフラップ３の内側縁部より幅方向の内側に位置している構成にしてもよい。
【００８８】
また、両側吸収部５は、両側吸収部弾性体34が配設された構成にしたが、このような構成には限定されず、両側吸収部弾性体34が配設されてない構成にしてもよい。
【００８９】
第２吸収体33は、長手方向の長さが第１吸収体13の長手方向の長さより短い構成にしたが、このような構成には限定されず、例えば第２吸収体33の長手方向の長さが第１吸収体13の長手方向の長さと同一の構成などにしてもよい。
【００９０】
間欠接合部41は、中央部７に設けられた構成にしたが、このような構成には限定されず、少なくとも中央部７に設けられていればよく、その位置も適宜設定できる。
【００９１】
また、間欠接合部41は、両側吸収部５およびバリアフラップ３における長手方向の長さａより、非接合部42の長さｂの方が長い構成にしたが、このような構成には限定されず、間欠接合部41の長手方向の長さａと非接合部42の長さｂとが同一の構成などにしてもよい。
【００９２】
さらに、間欠接合部41は、両側吸収部５およびバリアフラップ３における幅方向の長さが長手方向の長さより短い矩形状の構成にしたが、このような構成には限定されず、間欠接合部41の形状は適宜設計できる。
【００９３】
使い捨て吸収性物品１は、図６および図７に示す第２の実施の形態のように、間欠接合部41が、両側吸収部５の使い捨て吸収性物品１における幅方向の外側の部分に位置し、長手方向に沿って設けられている。
【００９４】
このように、間欠接合部41が両側吸収部５の幅方向の外側に設けられたことにより、間欠接合部41が両側吸収部５の幅方向の中央や内側に設けられた構成と比較して、バリアフラップ３の幅方向の内側の部分が起立いしやすい。すなわち、バリアフラップ３は、間欠接合部41にて接合された両側吸収部５をともなって起立するものの、両側吸収部５の幅方向の外側の部分とバリアフラップ３の基端側の部分とが間欠接合部41にて接合されているため、バリアフラップ３の幅方向の内側である自由端側に両側吸収部５の重量が作用しにくく、バリアフラップ３の幅方向の内側が起立しやすい。したがって、バリアフラップ３が装着者に密着しやすい。
【００９５】
また、間欠接合部41が両側吸収部５の幅方向の外側に設けられたことにより、バリアフラップ３の起立にともなって、両側吸収部５の幅方向の外側がバリアフラップ３側に引っ張られ、図６に示すように間欠接合部41が設けられた部分では、両側吸収部５の幅方向の内側が垂れ下がるようにバリアフラップ３から離間する。それにともなって、図７に示すように非接合部42に対応する部分では、下側ポケット連通部51および上側ポケット連通部52の空間が形成されやすい。したがって、排泄物が下側ポケット連通部51および上側ポケット連通部52を通って、ポケット部４へ流入しやすいので、ポケット部４にて排泄物を保持しやすく、排泄物の漏出を防止できる。
【００９６】
さらに、間欠接合部41と上面接合部46とは、いずれもバリアフラップ３と両側吸収部５との間に位置している。したがって、間欠接合部41を接合する際に、中央部７だけでなく前側部６および後側部８まで延出し、前側部６および後側部８では長手方向に連続して接合すると、上面接合部46の上面外側接合部48を形成できるので、間欠接合部41および上面内側接合部47を一連の接合作業で接合でき、接合作業を簡略化できる。
【００９７】
使い捨て吸収性物品１は、図８および図９に示す第３の実施の形態のように、第１吸収体13の幅方向の中央部に長手方向に沿った第１凹部55が形成され、第２吸収体33の幅方向の中央部に長手方向に沿って第２凹部56が形成された構成にしてもよい。
【００９８】
第１凹部55は、第１吸収体13を切り欠いて形成する方法や、第１吸収体13を押圧して他の部分より薄く形成する方法などにて形成される。
【００９９】
このように第１吸収体13に第１凹部55が形成されることにより、第１吸収体13における吸収面積を大きくできる。また、第１凹部55に沿って排泄物が拡散されやすくなるとともに、第１凹部55にて軟便などの粘性があり表面シート11を透過しにくい排泄物を保持できる。
【０１００】
第２凹部56は、第２吸収体33を切り欠いて形成する方法、第２吸収体33を押圧して他の部分より薄く形成する方法、および２つの第２吸収体33を離間して配設する方法などにて形成される。
【０１０１】
また、第２凹部56は、第２吸収体33の上側であるバリアフラップ３側、および第２吸収体33の下側である吸収本体部17側の両方に形成されている。なお、第２吸収体33のバリアフラップ３側および吸収本体部17側のいずれか一方のみに第２凹部56が形成された構成にしてもよい。
【０１０２】
このように第２吸収体33に第２凹部56が形成されることにより、第２凹部56を中心にして両側吸収部５が折れ曲がりやすく、上側ポケット連通部52および下側ポケット連通部51の空間を形成しやすい。したがって、排泄物がポケット部４へ流入しやすくので、排泄物をポケット部４にて保持しやすく、排泄物の漏出を防止できる。
【０１０３】
使い捨て吸収性物品１は、図10に示す第４の実施の形態のように、表面シート11と第１吸収体13との間に２枚のクレープ紙58a，58bが配設され、これらクレープ紙58a，58b間に、吸収本体部17の長手方向に沿って幅方向に離間した複数の吸収本体弾性体59が伸張した状態で配設された構成にしてもよい。
【０１０４】
このように、吸収本体弾性体59が配設されることにより、使い捨て吸収性物品１の収縮状態では、吸収本体弾性体59の収縮にともなって、表面シート11上にて幅方向に延びる皺が形成され、この皺によって排泄物が幅方向へ拡散しやすくなる。したがって、排泄物がポケット部４に流入しやすいので、排泄物をポケット部４にて保持しやすく、排泄物の漏出を防止できる。
【符号の説明】
【０１０５】
１    使い捨て吸収性物品
２    吸収性物品本体
３    バリアフラップ
４    ポケット部
５    両側吸収部
６    前側部
７    中央部
８    後側部
11    表面シート
12    裏面シート
13    第１吸収体
17    吸収本体部
18    サイドフラップ
22    バリアフラップ弾性体
23    第１バリアシート
24    第２バリアシート
25    バリアフラップ接合部
27    延出部
31    上面シート
32    下面シート
33    第２吸収体
41    間欠接合部
42    非接合部
【図１】
0005414576.tif 000002
【図２】
0005414576.tif 000003
【図３】
0005414576.tif 000004
【図４】
0005414576.tif 000005
【図５】
0005414576.tif 000006
【図６】
0005414576.tif 000007
【図７】
0005414576.tif 000008
【図８】
0005414576.tif 000009
【図９】
0005414576.tif 000010
【図１０】
0005414576.tif 000011